【手続補正書】
【提出日】平成27年8月11日(2015.8.11)
【手続補正１】
【補正対象書類名】明細書
【補正対象項目名】００８８
【補正方法】変更
【補正の内容】
【００８８】
本明細書中に引用される特許、特許文献、及び刊行物の完全な開示内容を、恰もそれぞれが個々に組み込まれたのと同様に、それらの全体を組み込むものである。本発明の範囲及び趣旨から逸脱することなく、本発明の様々な改変及び変更が当業者には明らかとなるであろう。本発明は、本明細書に記載される例示的な実施形態及び実施例によって不当に限定されるものではない点、また、こうした実施例及び実施形態はあくまで例示を目的として示されるに過ぎないのであって、本発明の範囲は本明細書において以下に記載する「特許請求の範囲」によってのみ限定されるものである点は理解すべきである。
以下に、本願発明に関連する発明の態様について列挙する。
［態様１］
マイクロニードルアレイを送達するシステムであって、
内部にキャビティを有するとともに、前記キャビティを少なくとも部分的に包囲する取り付け表面を有する、ハウジングと、
前記キャビティ内に受容される中実のマイクロニードルアレイを含む、キャリアアセンブリと、
前記ハウジング内部の一部分に連結され、かつ前記キャリアアセンブリの一部分と接触する、蓄積エネルギー装置と、
活性化エネルギーを前記蓄積エネルギー装置に前記アレイの主要面に直交する方向において供給するように動作可能な、アクチュエータと、
を備え、前記蓄積エネルギー装置は、前記活性化エネルギーよりも大きい適用エネルギーを、前記アレイの前記主要面に直交して伝達することができる、システム。
［態様２］
前記活性化エネルギーに対する適用エネルギーの比が、１．５より大きい、態様１に記載のシステム。
［態様３］
前記比が５より大きい、態様２に記載のシステム。
［態様４］
前記比が２０より大きい、態様３に記載のシステム。
［態様５］
前記蓄積エネルギー装置が、ばねを含む、態様１〜４のいずれか一項に記載のシステム。
［態様６］
前記蓄積エネルギー装置が、分岐ばねを含む、態様５に記載のシステム。
［態様７］
前記分岐ばねが、ドーム型のばねを含む、態様６に記載のシステム。
［態様８］
前記ばねが中心部を備え、前記ばねの前記中心部が、前記活性化エネルギーの適用時に一定の移動距離を移動するように適合され、前記移動距離は、前記ばねに伝達された前記活性化エネルギーの前記方向と同じ方向である、態様６又は７に記載のシステム。
［態様９］
前記移動距離が０．５ｍｍ〜１０ｍｍである、態様８に記載のシステム。
［態様１０］
複数の分岐ばねを含む、態様６に記載のシステム。
［態様１１］
前記キャリアアセンブリが、取り外し可能に前記ハウジングに連結される、態様１〜１０のいずれか一項に記載のシステム。
［態様１２］
前記蓄積エネルギー装置が開口部を含み、前記キャリアアセンブリが、前記開口部に受容される細長いアームを含み、前記細長いアームが、前記アレイから遠隔の位置において、前記ハウジングに取り外し可能に取り付けられる、態様１１に記載のシステム。
［態様１３］
前記キャリアアセンブリが、柔軟性膜を含む、態様１〜１０のいずれか一項に記載のシステム。
［態様１４］
前記アクチュエータが、前記取り付け表面に実質的に平行な一定方向において、前記ハウジング内で移動可能である、態様１〜１３のいずれか一項に記載のシステム。
［態様１５］
前記アクチュエータが、前記取り付け表面に直交する一定方向において、前記ハウジング内で移動可能である、態様１〜１３のいずれか一項に記載のシステム。
［態様１６］
前記アクチュエータが、前記ハウジングに摺動可能に連結される、態様１〜１５のいずれか一項に記載のシステム。
［態様１７］
前記アクチュエータが、細長いアーム及び少なくとも１つの突出部を含み、前記アクチュエータの一部分が、前記ハウジングの外部にあり、前記細長いアームが、前記突出部を介して前記蓄積エネルギー装置に力を伝達するよう動作可能である、態様１４に記載のシステム。
［態様１８］
前記アクチュエータが平坦な表面及び１つ以上の細長い突出部を含み、前記突出部のうちの少なくとも１つが、前記ハウジングにおいて凹部に受容され、前記活性化力が前記平坦な表面に適用されたときに、少なくとも１つの突出部は、前記蓄積エネルギー装置に接触するように動作可能である、態様１６に記載のシステム。
［態様１９］
前記アクチュエータが、前記蓄積エネルギー装置の表面に近接し、かつ前記蓄積エネルギー装置に直交する力を送達するように回転可能である、カムを含む、態様１に記載のシステム。
［態様２０］
前記ハウジングの高さが１ｍｍ〜３ｃｍである、態様１〜１９のいずれか一項に記載のシステム。
［態様２１］
前記アレイが、前記蓄積エネルギー装置と接触する第１表面、及び前記第１表面と反対側の第２表面を含み、前記アレイが、前記第２表面の一部分上に配置される接着剤を含む、態様１〜２０のいずれか一項に記載のシステム。
［態様２２］
前記取り付け表面が、前記ハウジングを組織に取り外し可能に固定するための接着剤を含む、態様１〜２１のいずれか一項に記載のシステム。
［態様２３］
マイクロニードルアレイを患者の皮膚表面に送達する方法であって、前記方法が、
内部にキャビティを有するハウジングと、前記キャビティ内に受容されたマイクロニードルアレイと、前記アレイに近接した蓄積エネルギー装置と、前記ハウジングに摺動可能に結合されたアクチュエーターと、を備えた一体化されたアプリケーターを提供する工程と、
前記アプリケータを前記皮膚表面に近接して配置する工程と、
前記アクチュエータを前記ハウジングに対して移動させる工程であって、前記アクチュエータを移動させる工程は、活性化エネルギーを前記アクチュエータに適用することを含み、前記活性化エネルギーは、前記アクチュエータの移動によって前記蓄積エネルギー装置に伝達される、工程と、
前記アレイにエネルギーを伝達することによって、前記皮膚表面に対して前記アレイを駆動する工程であって、前記アレイに伝達された前記エネルギーが、適用エネルギーを含み、前記適用エネルギーが、前記活性化エネルギーよりも大きい、工程と、
を含む、方法。
［態様２４］
前記蓄積エネルギー装置に対する前記アクチュエータの前記移動が、前記アレイへの前記エネルギーの伝達となる、態様２３に記載の方法。
［態様２５］
前記活性化エネルギーに対する前記適用エネルギーの比が、少なくとも４である、態様２３又は２４に記載の方法。
［態様２６］
前記適用エネルギーは、前記アレイ上の前記マイクロニードルが角質層に穿通できるのに十分である、態様２３〜２５のいずれか一項に記載の方法。
［態様２７］
前記蓄積エネルギー装置が、分岐ばねを含む、態様２３〜２６のいずれか一項に記載の方法。
［態様２８］
前記アクチュエータを移動させる工程が、前記活性化エネルギーを前記アレイに直交する方向で適用することを含む、態様２３〜２７のいずれか一項に記載の方法。
［態様２９］
前記アクチュエータを移動させる工程が、前記活性化力を前記アレイに平行な方向で適用することを含む、態様２０〜２４のいずれか一項に記載の方法。
［態様３０］
前記アレイにエネルギーを伝達する工程が、前記適用エネルギーを前記アレイに、前記アレイに直交する方向で適用することを含む、態様２３〜２９のいずれか一項に記載の方法。
［態様３１］
前記アプリケータを患者の皮膚表面に取り付ける工程を更に含む、態様２３〜３０のいずれか一項に記載の方法。
［態様３２］
前記アプリケータを前記患者の皮膚表面から取り外す工程を更に含む、態様２３〜３１のいずれか一項に記載の方法。
［態様３３］
前記アプリケータを取り外すと、前記アレイは、前記患者の皮膚に連結されたままである、態様３０に記載の方法。
［態様３４］
前記活性化エネルギーの伝達により、前記患者の皮膚に垂直に体験される力が、伝達中はゼロ又はゼロに近い、態様２３〜３３のいずれか一項に記載の方法。
［態様３５］
マイクロアレイを患者の皮膚表面に送達する方法であって、
内部にキャビティを有するハウジングを提供する工程であって、アレイが前記キャビティ内に受容され、アクチュエータが前記ハウジングに摺動可能に結合される、工程と、
前記アクチュエータを前記ハウジングに対して移動させる工程と、
前記活性化エネルギーを前記アレイに伝達する工程であって、前記患者の皮膚に垂直に体験される力が、伝達の間はゼロ又はゼロに近い、工程と、
を含む、方法。
［態様３６］
マイクロニードルアレイを送達するシステムであって、
内部にキャビティを有するとともに、前記キャビティを少なくとも部分的に包囲する取り付け表面を有する、ハウジングと、
前記キャビティに受容される中実のマイクロニードルアレイを含む、キャリアアセンブリと、
前記ハウジングの内部の一部分に連結されるばねと、
活性化エネルギーを前記蓄積エネルギー装置に前記アレイの主要面に直交する方向に供給するように動作可能なアクチュエータと、
を備え、前記ばねは、前記活性化エネルギーよりも大きい適用エネルギーを、前記アレイの前記主要面に垂直に伝達することができる、システム。
［態様３７］
マイクロニードルアレイを送達するシステムであって、
内部にキャビティを有するハウジングと、
前記キャビティに受容される中実のマイクロニードルアレイを含む、キャリアアセンブリと、
前記ハウジング内部の一部分に連結される、蓄積エネルギー装置と、
活性化エネルギーを前記蓄積エネルギー装置に供給するように動作可能なアクチュエータと、
を備え、前記蓄積エネルギー装置は、前記活性化エネルギーよりも大きい適用エネルギーを、前記アレイの主要面に直交して伝達することができ、前記キャリアアセンブリ又は前記マイクロニードルアレイのいずれの部分も、前記蓄積エネルギー装置に結合されない、システム。
【手続補正２】
【補正対象書類名】特許請求の範囲
【補正対象項目名】全文
【補正方法】変更
【補正の内容】
【特許請求の範囲】
【請求項１】
マイクロニードルアレイを送達するシステムであって、
内部にキャビティを有するとともに、前記キャビティを少なくとも部分的に包囲する取り付け表面を有する、ハウジングと、
前記キャビティ内に受容される中実のマイクロニードルアレイを含む、キャリアアセンブリと、
前記ハウジング内部の一部分に連結され、かつ前記キャリアアセンブリの一部分と接触する、蓄積エネルギー装置と、
活性化エネルギーを前記蓄積エネルギー装置に前記アレイの主要面に直交する方向において供給するように動作可能な、アクチュエータと、
を備え、前記蓄積エネルギー装置は、前記活性化エネルギーよりも大きい適用エネルギーを、前記アレイの前記主要面に直交して伝達することができる、システム。